(57)【特許請求の範囲】
【請求項１】
ベント付き二軸押出機（１）に設けられたベントボックス（２）に接続され、押出機（１）内で発生した溶融樹脂のガス分に含まれるオリゴマを取り除くオリゴマ取除装置であって、
前記オリゴマ取除装置を構成するオリゴマタンク（４）は直方体状とされ、該オリゴマタンク（４）のタンク本体（９）の上部にガス入口ノズル（５）が設けられ、下方側部にガス出口ノズル（７）が設けられており、前記タンク本体（９）内には、該タンク本体（９）の前面に向けて垂直に並列されている平板状の複数のフィルターケース（１２）と、該フィルターケース（１２）にフィルター押え（１６）で締め付けられているフィルター（１５）が設けられ、前記タンク本体（９）の前面には、ドア（１３）が気密に取り付けられており、前記フィルターケース（１２）は、タンク本体（９）の上部と下部に設けたレール（１０ａ，１０ｂ）に前後動可能に挿入され、前記タンク本体（９）内の上方は、上部レール（１０ａ）間を除き密閉され、その下方は、下部レール（１０ｂ）間を除き開放されており、オリゴマは前記上部レール（１０ａ）間を通過して下方に送られることを特徴とするベント付き二軸押出機のオリゴマ取除装置。
【発明の詳細な説明】
【０００１】
【発明の属する技術分野】
本発明は、ベント付き二軸押出機のオリゴマ取除装置に関し、詳しくは、ポリエステル等の樹脂製造に使用されるベント付き二軸押出機内で発生する溶融樹脂のガス分に含まれるオリゴマを取り除くオリゴマ取除装置に関するものである。
【０００２】
【従来の技術】
従来、この種のベント付き二軸押出機のオリゴマ取除装置としては、図３に示す構成のものが採用されていた。すなわち、二軸押出機２１に設けられた２個のベントボックス２２は、それぞれヘッダー２３に接続され、このヘッダー２３は２台の円筒状のオリゴマタンク２４の上方側部に設けたガス入口ノズル２５にそれぞれバルブ２６を介して接続されている。オリゴマタンク２４の下部に設けたガス出口ノズル２７は、バルブ２８を介して図示しない真空装置に接続されている。オリゴマタンク２４のタンク本体２９の上部には、蓋２３がクランプ２４により締め付けられている。
【０００３】
前記オリゴマタンク２４のタンク本体２９内には、図４に示すような円筒状のフィルターケース２２が装着されている。このフィルターケース２２の外周部には、図５に示すようなフィルタ−押さ２６でフィルター２５が締め付けられ、フィルターケース２２の底部には、図６に示すようなフィルタ−押え２７が取り付けられている。
【０００４】
ポリエステル樹脂やポリアミド樹脂等の未乾燥のペレットを上記二軸押出機２１で押し出す際、各ベントボックス２２から排気された水分およびオリゴマ（低分子量物）は、オリゴマタンク２４に真空吸引され、濾過されたガス分は真空装置によって排出される。
【０００５】
フィルター２５を交換時する場合には、クランプ２４を外し、蓋２３を開け、フィルターケース２２を上方に取り出し、フィルター押え２６，２７を外し、フィルター２５を外して交換する。
【０００６】
【発明が解決しようとする課題】
上記従来の装置では、オリゴマタンクのタンク本体の上部から蓋やフィルターケースの取り出しが行われるので、高所での作業および重量物の搬送になりクレーンなどの必要があった。
【０００７】
本発明は、上記問題点を解決するためになされたもので、高所での作業をなくし、ドアおよびフィルタケースの取り付け、取り外しを容易にすると共に装置を安価にすることを目的としている。
【０００８】
【課題を解決するための手段】
本発明によるオリゴマ取除装置のオリゴマタンクは、直方体状とされ、このオリゴマタンクのタンク本体の上部にガス入口ノズルが設けられ、下方側部にガス出口ノズルが設けられており、タンク本体内には、このタンク本体の前面に向けて垂直に並列されている複数のフィルターケースと、このフィルターケースにフィルタ−押えで締め付けられているフィルターが設けられ、前記タンク本体の前面には、ドアがクランプにより気密に取り付けられており、前記フィルターケースは、タンク本体の上部と下部に設けたレールに前後動可能に挿入され、前記タンク本体内の上方は、上部レール間を除き密閉され、その下方は、下部レール間を除き開放されており、オリゴマは上部レール間を通過して下方に送られることを特徴とする。
【００１０】
これにより、タンク本体の上部よりフイルター間に供給された水分およびオリゴマは、フィルターを通過して濾過され、濾過されたガス体は下方に設けたガス出口ノズルから排出される。
【００１１】
【発明の実施の形態】
本発明の実施の形態を実施例に基づき図面を参照して説明する。
【００１２】
図１は、本発明によるベント付き二軸押出機の脱揮装置の構成図である。同図に示すように、二軸押出機１に設けられた２個のベントボックス２は、それぞれヘッダー３に接続され、このヘッダー３は、２台の直方体状のオリゴマタンク４の上部に設けたガス入口ノズル５にそれぞれバルブ６を介して接続されている。オリゴマタンク４の下方側部に設けたガス出口ノズル７は、バルブ８を介して図示しない真空装置に接続されている。
【００１３】
ポリエステル樹脂やポリアミド樹脂等の未乾燥のペレットを二軸押出機１で押出す際、各ベントボックス２から排気された水分およびオリゴマ（低分子量物）は、オリゴマタンク４に真空吸引され、濾過されたガス分は真空装置によって排出される。
【００１４】
図２は、本発明によるオリゴマタンクの分解斜視図である。
【００１５】
図２（ａ）に示すように、オリゴマタンク４のタンク本体９内の上方部には、タンク本体９の前面に向けて、２つの逆凹状のレール１０ａが水平に間隔をおいて設けられ、下方部には、前記逆凹部に対向した位置に凹状のレール１０ｂが水平に間隔をおいて設けられている。
【００１６】
前記上部の各レール１０ａの上面は、板等によって左右の側板に接続されているので、タンク本体９内の上方は、上部レール１０ａ間を除き密閉される。そのため、ガス入口ノズル５より吸引された水分およびオリゴマは上部レール１０ａ間を通過して下方に送られる。
【００１７】
また、下部の各レール１０ｂの下面は互いに接続され、両レール１０ｂは、その下部に設けた支持板１１によりタンク本体９の底部と接続されている。なお、支持板１１は全面に設けられていないので、濾過されたガス分はガス出口ノズル７より排出することができる。
【００１８】
前記対向して設けられているレール１０ａ，１０ｂには、平板状のフィルターケース１２がそれぞれ装着される。タンク本体９の前部には、ドア１３がクランプ１４によって気密に取り付けられている。
【００１９】
図２（ｂ）に示すように、フィルターケース１２には、フィルター１５がフィルタ−押え１６で締め付けられている。
【００２０】
これにより、オリゴマタンク４のガス入口ノズル５から吸引される水分およびオリゴマは、上方のレール１０ａ間の隙間を通って両フィルタ１５に送られ、両フィルタ１５で濾過されたガス分は、レール１０ｂの下方に送られガス出口ノズル７より排出される。
【００２１】
フィルター交換する場合には、クランプ１４を外し、蓋１３を開け、フィルターケース１２を前方に取り出し、フィルター押え１６を外し、フィルター１５を外して交換する。
【００２２】
上記実施例では、オリゴマ装置のオリゴマタンクを２台としているが、必要に応じて２台以上としてもよい。また、オリゴマタンクに挿入されるフィルターケースを２個としたが、必要に応じて２個以上としてもよい。
【００２３】
【発明の効果】
本発明によるオリゴマ取除装置によれば、オリゴマタンクの背が低くなので、高所での作業がなくなり、また、フィルターが分割され軽量となるので、クレーン等を使用しなくても、ドアの開閉およびフィルターの出し入れ、フィルターの交換を容易に行うことができる。
【図面の簡単な説明】
【図１】本発明による二軸押出機のオリゴマ取除装置の構成図であり、（ａ）は平面図、（ｂ）は正面図である。
【図２】本発明によるオリゴマタンクの分解斜視図である。
【図３】従来の二軸押出機のオリゴマ取除装置の構成図であり、（ａ）は平面図、（ｂ）は正面図である。
【図４】従来のフイルターを取り付けたフィルターケースの構成図であり、（ａ）は平面図、（ｂ）は正面図である。
【図５】従来の外周部用のフイルター押えの構成図である。
【図６】従来の低部用のフイルター押えの構成図である。
【符号の説明】
１  二軸押出機
２  ベントボックス
３  ヘッダー
４  オリゴマタンク
５  ガス入口ノズル
６、８  バルブ
７  ガス出口ノズル
９  タンク本体
１０ａ、１０ｂ  レール
１１  支持板
１２  フィルターケース
１３  ドア
１４  クランプ
１５  フィルター
１６  フィルター押え
【図１】
0003774382.tif 000002
【図２】
0003774382.tif 000003
【図３】
0003774382.tif 000004
【図４】
0003774382.tif 000005
【図５】
0003774382.tif 000006
【図６】
0003774382.tif 000007